(57)【特許請求の範囲】
【請求項１】
ディジタルカメラ等のカメラを接続可能に構成された携帯端末装置の制御方法であって、
携帯端末装置が動作している状態で且つ該携帯端末装置に前記カメラが接続されている状態下において、前記携帯端末装置の操作部における複数のキーのうちの特定のキーを一定時間以上、押下し続ける長押し操作が行われた場合には撮影モードに移行し、この撮影モードでさらに、前記操作部における複数のキーのうちのいずれか１つまたは複数のキーが操作された場合にはキーに割り当てられた前記撮影モードに対応する動作を実行することを特徴とする携帯端末装置の制御方法。
【請求項２】
前記撮影モードで前記操作部における複数のキーのうちのいずれかのキーが上記一定時間より短い時間、押下する短押し操作が行われた場合には、撮影モードにおいて前記操作されたキーに割り当てられた前記撮影モードに対応する動作を実行し、前記操作部における複数のキーのうちのいずれかのキーが前記長押し操作された場合には前記携帯端末装置の所定のキー入力状態に移行するように制御することを特徴とする請求項１に記載の携帯端末装置の制御方法。
【請求項３】
ディジタルカメラ等のカメラを接続可能に構成された携帯端末装置の制御方法であって、
携帯端末装置が動作している状態で且つ該携帯端末装置に前記カメラが接続されている状態下において、前記携帯端末装置の操作部における複数のキーのうちの特定のキーを一定時間以上、押下し続ける長押し操作が行われた場合には撮影モードに移行し、この撮影モードでさらに、前記特定のキーが操作された場合にはキーに割り当てられた前記撮影モードに対応する動作を実行することを特徴とする携帯端末装置の制御方法。
【請求項４】
ディジタルカメラ等のカメラを接続可能に構成された携帯端末装置であって、
複数のキーを有する操作手段と、
携帯端末装置が動作している状態で且つ該携帯端末装置に前記カメラが接続されている状態下において、前記操作手段における複数のキーのうちの特定のキーを一定時間以上、押下し続ける長押し操作が行われた場合には撮影モードに移行し、この撮影モードでさらに、前記操作手段における複数のキーのうちのいずれか１つまたは複数のキーが操作された場合にはキーに割り当てられた前記撮影モードに対応する動作を実行する制御手段と、
を有することを特徴とする携帯端末装置。
【請求項５】
前記制御手段は、前記撮影モードに移行し、この撮影モードで前記操作手段における複数のキーのうちのいずれかのキーが上記一定時間より短い時間、押下する短押し操作が行われた場合には、前記操作されたキーに割り当てられた前記撮影モードに対応する動作を実行し、前記操作部における複数のキーのうちのいずれかのキーが前記長押し操作された場合には前記携帯端末装置の所定のキー入力状態に移行するよう制御することを特徴とする請求項４に記載の携帯端末装置。
【請求項６】
ディジタルカメラ等のカメラを接続可能に構成された携帯端末装置であって、
複数のキーを有する操作手段と、
携帯端末装置が動作している状態で且つ該携帯端末装置に前記カメラが接続されている状態下において、前記携帯端末装置の操作部における複数のキーのうちの特定のキーを一定時間以上、押下し続ける長押し操作が行われた場合には撮影モードに移行し、この撮影モードでさらに、前記特定のキーが操作された場合にはキーに割り当てられた前記撮影モードに対応する動作を実行する制御手段と、
を有することを特徴とする携帯端末装置。
【発明の詳細な説明】
【０００１】
【発明の属する技術分野】
本発明は、ディジタルカメラ等のカメラを接続可能に構成された携帯端末装置及びその制御方法に関する。
【０００２】
【従来の技術】
従来のディジタルカメラ等のカメラと通信機能を有する携帯端末とが接続可能に構成された携帯端末装置にあっては、撮影時に携帯端末装置の表示部で設定状態を確認しながら携帯端末に設けられた操作部でキー操作を行い、撮影モード機能を選択し、その後、確定キーを操作することにより撮影モードを確定する。そしてこの撮影モードになった状態で撮影を行っていた。
【０００３】
【発明が解決しようとする課題】
上述した従来のカメラと通信機能を有する携帯端末とが接続可能に構成された携帯端末装置にあっては、携帯端末の通信機能、例えば、携帯端末が携帯電話機である場合には、電話機能としての動作モードである音声モードからカメラ機能としての動作モードである撮影モードにモード切り替えを行うモード切替キーと、そのモードを確定するためのキーの、少なくとも２つのキーが必要である。
さらに、撮影に際して必要な操作キー、例えば、シャッターボタンとして機能するキー、撮影条件の指定等の設定キー等が必要である。
【０００４】
このように撮影モードへの切り替えや撮影を行うために操作するキー数が多くなり、また、撮影する際に撮影モードを確定するまでのキー操作時間が必要となるという問題が有った。
したがって、撮影モードを確定するのに撮影モードを選択してから確定キーを操作しなければならないため、撮影モードを確定するまでに行われるキー操作期間中、携帯端末の表示部を視認し続けなければならないという制約を受け、キー操作が煩雑であると共に、シャッターチャンスを逃すという問題も有った。
本発明はこのような事情に鑑みてなされたものであり、撮影機能専用のキーを設けることなく、撮影時に操作するのに必要なキー数が少なく、かつ表示部の画面で確認しながら操作する必要がない携帯端末装置及びその制御方法を提供することを目的とする。
【０００５】
【課題を解決するための手段】
上記目的を達成するために、請求項１に記載の発明は、ディジタルカメラ等のカメラを接続可能に構成された携帯端末装置の制御方法であって、携帯端末装置が動作している状態で且つ該携帯端末装置に前記カメラが接続されている状態下において、前記携帯端末装置の操作部における複数のキーのうちの特定のキーを一定時間以上、押下し続ける長押し操作が行われた場合には撮影モードに移行し、この撮影モードでさらに、前記操作部における複数のキーのうちのいずれか１つまたは複数のキーが操作された場合にはキーに割り当てられた前記撮影モードに対応する動作を実行することを特徴とする。
【０００６】
請求項１に記載の発明によれば、 携帯端末装置が動作している状態で且つ該携帯端末装置に前記カメラが接続されている状態下において、前記携帯端末装置の操作部における複数のキーのうちの特定のキーを一定時間以上、押下し続ける長押し操作が行われた場合には撮影モードに移行し、この撮影モードでさらに、前記操作部における複数のキーのうちのいずれか１つまたは複数のキーが操作された場合にはキーに割り当てられた前記撮影モードに対応する動作を実行するので、撮影機能専用のキーを設ける必要がなく、撮影時に操作するのに必要なキー数が少なくて済み、かつ撮影可能な状態への切り替え及び撮影操作を行うのに表示部の画面でいちいち確認しながら操作する必要がなくなる。
【０００７】
したがって、撮影機能専用のキーを設ける必要がないので、携帯端末装置をコンパクトに構成することができる。
また、撮影時に操作するのに必要なキー数が少なくて済むので、キー操作の誤りが無く、操作が容易となる。
さらに、撮影可能な状態への切り替え及び撮影操作を行うのに表示部の画面でいちいち確認しながら操作する必要がなくなるので、表示部の画面を見ながら設定状態を確認してキーを操作するという煩雑さが解消される。
【０００８】
請求項２に記載の発明は、請求項１に記載の携帯端末装置の制御方法において、前記撮影モードで前記操作部における複数のキーのうちのいずれかのキーが上記一定時間より短い時間、押下する短押し操作が行われた場合には、撮影モードにおいて前記操作されたキーに割り当てられた前記撮影モードに対応する動作を実行し、前記操作部における複数のキーのうちのいずれかのキーが前記長押し操作された場合には前記携帯端末装置の所定のキー入力状態に移行するように制御することを特徴とする。ここで、所定のキー入力状態とは、発呼操作、通信機能（電話機能、データ通信機能を含む）の基本設定、メール文章作成、電話番号入力等のキー入力状態をいうものとする。
【０００９】
請求項２に記載の発明によれば、前記撮影モードで前記操作部における複数のキーのうちのいずれかのキーが上記一定時間より短い時間、押下する短押し操作が行われた場合には、撮影モードにおいて前記操作されたキーに割り当てられた前記撮影モードに対応する動作を実行し、前記操作部における複数のキーのうちのいずれかのキーが前記長押し操作された場合には前記携帯端末装置の所定のキー入力状態に移行するように制御するので、通信可能な動作状態（通信モード）と撮影可能な動作状態（撮影モード）との切り替えが容易となり、ユーザが快適に使用することができる。
【００１０】
請求項３に記載の発明は、ディジタルカメラ等のカメラを接続可能に構成された携帯端末装置の制御方法であって、携帯端末装置が動作している状態で且つ該携帯端末装置に前記カメラが接続されている状態下において、前記携帯端末装置の操作部における複数のキーのうちの特定のキーを一定時間以上、押下し続ける長押し操作が行われた場合には撮影モードに移行し、この撮影モードでさらに、前記特定のキーが操作された場合にはキーに割り当てられた前記撮影モードに対応する動作を実行することを特徴とする。
【００１１】
請求項３に記載の発明によれば、携帯端末装置が動作している状態で且つ該携帯端末装置に前記カメラが接続されている状態下において、前記携帯端末装置の操作部における複数のキーのうちの特定のキーを一定時間以上、押下し続ける長押し操作が行われた場合には撮影モードに移行し、この撮影モードでさらに、前記特定のキーが操作された場合にはキーに割り当てられた前記撮影モードに対応する動作を実行するので、１つのキーを操作することにより通信モードと撮影モードとの切り替えができ、キー操作の誤りが無くなり、操作が容易となる。
また、１つのキーで撮影可能な状態への切り替え及び撮影操作を行うことができるので、表示部の画面でいちいち確認しながら操作する必要がなくなり、表示部の画面を見ながら設定状態を確認してキーを操作するという煩雑さが解消される。
【００１２】
請求項４に記載の発明は、ディジタルカメラ等のカメラを接続可能に構成された携帯端末装置であって、複数のキーを有する操作手段と、携帯端末装置が動作している状態で且つ該携帯端末装置に前記カメラが接続されている状態下において、前記操作手段における複数のキーのうちの特定のキーを一定時間以上、押下し続ける長押し操作が行われた場合には撮影モードに移行し、この撮影モードでさらに、前記操作手段における複数のキーのうちのいずれか１つまたは複数のキーが操作された場合にはキーに割り当てられた前記撮影モードに対応する動作を実行する制御手段とを有することを特徴とする。
【００１３】
請求項４に記載の発明によれば、複数のキーを有する操作手段と、携帯端末装置が動作している状態で且つ該携帯端末装置に前記カメラが接続されている状態下において、前記操作手段における複数のキーのうちの特定のキーを一定時間以上、押下し続ける長押し操作が行われた場合には撮影モードに移行し、この撮影モードでさらに、前記操作手段における複数のキーのうちのいずれか１つまたは複数のキーが操作された場合にはキーに割り当てられた前記撮影モードに対応する動作を実行する制御手段とを有するので、撮影機能専用のキーを設ける必要がなく、撮影時に操作するのに必要なキー数が少なくて済み、かつ撮影可能な状態への切り替え及び撮影操作を行うのに表示部の画面でいちいち確認しながら操作する必要がなくなる。
【００１４】
したがって、撮影機能専用のキーを設ける必要がないので、携帯端末装置をコンパクトに構成することができる。
また、撮影時に操作するのに必要なキー数が少なくて済むので、キー操作の誤りが無く、操作が容易となる。  さらに、撮影可能な状態への切り替え及び撮影操作を行うのに表示部の画面でいちいち確認しながら操作する必要がなくなるので、表示部の画面を見ながら設定状態を確認してキーを操作するという煩雑さが解消される。
【００１５】
請求項５に記載の発明は、請求項４に記載の携帯端末装置において、前記制御手段は、前記撮影モードに移行し、この撮影モードで前記操作手段における複数のキーのうちのいずれかのキーが上記一定時間より短い時間、押下する短押し操作が行われた場合には、前記操作されたキーに割り当てられた前記撮影モードに対応する動作を実行し、前記操作部における複数のキーのうちのいずれかのキーが前記長押し操作された場合には前記携帯端末装置の所定のキー入力状態に移行するよう制御することを特徴とする。
【００１６】
請求項５に記載の発明によれば、前記制御手段は、前記撮影モードに移行し、この撮影モードで前記操作手段における複数のキーのうちのいずれかのキーが上記一定時間より短い時間、押下する短押し操作が行われた場合には、前記操作されたキーに割り当てられた前記撮影モードに対応する動作を実行し、前記操作部における複数のキーのうちのいずれかのキーが前記長押し操作された場合には前記携帯端末装置の所定のキー入力状態に移行するよう制御するので、通信可能な動作状態（通信モード）と撮影可能な動作状態（撮影モード）との切り替えが容易となり、ユーザが快適に使用することができる。
【００１７】
請求項６に記載の発明は、ディジタルカメラ等のカメラを接続可能に構成された携帯端末装置であって、複数のキーを有する操作手段と、携帯端末装置が動作している状態で且つ該携帯端末装置に前記カメラが接続されている状態下において、前記携帯端末装置の操作部における複数のキーのうちの特定のキーを一定時間以上、押下し続ける長押し操作が行われた場合には撮影モードに移行し、この撮影モードでさらに、前記特定のキーが操作された場合にはキーに割り当てられた前記撮影モードに対応する動作を実行する制御手段とを有することを特徴とする。
【００１８】
請求項６に記載の発明によれば、複数のキーを有する操作手段と、携帯端末装置が動作している状態で且つ該携帯端末装置に前記カメラが接続されている状態下において、前記携帯端末装置の操作部における複数のキーのうちの特定のキーを一定時間以上、押下し続ける長押し操作が行われた場合には撮影モードに移行し、この撮影モードでさらに、前記特定のキーが操作された場合にはキーに割り当てられた前記撮影モードに対応する動作を実行する制御手段とを有するので、１つのキーを操作することにより通信モードと撮影モードとの切り替えができ、キー操作の誤りが無くなり、操作が容易となる。
また、１つのキーで撮影可能な状態への切り替え及び撮影操作を行うことができるので、表示部の画面でいちいち確認しながら操作する必要がなくなり、表示部の画面を見ながら設定状態を確認してキーを操作するという煩雑さが解消される。
【００１９】
【発明の実施の形態】
以下、本発明の実施の形態を図面を参照して詳細に説明する。図１に本発明の実施の形態に係る携帯端末装置の電気的構成を示す。本実施の形態では携帯端末装置として、携帯電話機（ＰＨＳも含む。）を例にとり説明する。同図において、携帯端末装置１０は、図示してないアンテナ、基地局を介して相手端末との間で音声信号等の送受信を行うＲＦ送受信部１００と、信号処理部１０２と、テンキー等の各種キーを有する操作部１０４と、各種データを表示する表示部１０６と、各種プログラム及び固定データが格納されているＲＯＭ１０８と、ＲＡＭ１１６と、外部メモリインターフェース部１１０と、各部を統括的に制御するＣＰＵ１１２と、携帯端末インターフェース部１１４とを有している。
【００２０】
信号処理部１０２は、音声信号の符号化処理や復号化処理をおこなう回路部であり、ＲＦ送受信部１００で復号された受話信号を復調し、図示してないスピーカに出力したり、図示してないマイクから入力された送話用の音声信号を符号化してＲＦ送受信部１００に出力する機能を有している。
図２に示すように携帯端末装置本体１に設けられた操作部１０４は、電話を受ける時に使用する開始キー、電話を終了する時に使用する終了キー、数値キー（文字キーを兼用する）、＃キー、＊キー等のコードキーからなるテンキー１０４Ａと、各種の機能を設定する際に使用されるＦキー、電源のオン、オフを指示する電源キー、各種設定を解除するためのクリアキー、電子メールの発信要求を行うためのメール発信キー等を有している。
【００２１】
表示部１０６は、携帯端末装置１０における電話機能としての各種設定情報及び各種メニュー情報や、カメラ２０を接続し際における撮影情報等の画像情報が表示されるようになっている。
ＲＯＭ１０８には、電話機能を実行するための各種プログラムや、制御プログラムや各種の固定データが格納されている。
ＲＡＭ１１６には、ＣＰＵ１１２により処理されたデータが一時的に記憶されたり、外部メモリインターフェース部１１０を介して外部より入力される各種データが格納されるようになっている。
【００２２】
またカメラ２０は、ディジタルカメラ２００と、ディジタルカメラインターフェース部２０２とから構成され、このカメラは携帯端末装置１０に従来から常備されているイヤホンジャックを使用して携帯端末装置１０に接続可能に構成されている。図１は携帯端末装置１０と、カメラ２０とが接続された状態を示しており、制御線３０によりカメラ２０から携帯端末装置１０側にクロックが供給され、制御線３１により携帯端末装置１０側からカメラ２０側に制御データが、信号線３２によりディジタルカメラ２００により撮影された画像データがそれぞれ、送出されるようになっている。
【００２３】
次にＣＰＵ１１２により実行される動作モード切り替え時における制御動作を図３及び図４のフローチャートを参照して説明する。本実施の形態に係る携帯端末装置１０では音声モードと撮影モードの２つの動作モードを有している。音声モードは、携帯端末装置１０が電話として機能する際の動作モードであり、撮影モードは、カメラが接続された状態で撮影を携帯端末装置１０における操作部１０４におけるキー操作により行うことを可能とする動作モードである。
【００２４】
操作部１０４の電源キーが操作されると、図３及び図４において、携帯端末装置１０における動作モードが音声モードに設定され、電話機能が実行可能な状態となる（ステップ３００）。次いで、ステップ３０１では、携帯端末装置１０にカメラ２０が接続されているか、否かが判定される。このカメラ２０の接続の有無の状態判定は、携帯端末装置１０のイヤホンジャックにコネクタが接続されたか否かを検出する検出手段を設けておき、この検出信号を取り込み、この検出信号に基づいて行ってもよいし、カメラ２０のディジタルカメラ２００からディジタルカメラインターフェース部２０２を介して携帯端末装置１０側に出力されるべき信号が出力されるか否かに基づいて上記状態判定をおこなってもよい。これ以外の方法により上記状態判定を行ってよいのは勿論である。
【００２５】
ステップ３０１で携帯端末装置１０にカメラ２０が接続されていないと判定された場合には、ステップ３１２に移行し、音声モードに設定されたままの状態にして、この処理の実行を終了する。
また、ステップ３０１で、携帯端末装置１０にカメラ２０が接続されていると判定された場合には、ステップ３０２で操作部１０４における通常は携帯端末装置１０の通信機能（本実施の形態では電話機能）に割り当てられている特定のキーが操作されたか否かが判定される。本実施の形態では、このキーを例えば、Ｆキーであるとする。
【００２６】
このＦキーは、通常は、例えば、数字キーとの組み合わせで、電話機能のうち特定の機能を設定するために使用されるが、携帯端末装置１０にカメラ２０が接続された状態で音声モードと撮影モードとの切り替えを行うモード切替キーとしての機能の設定に割り当てるものとする。ステップ３０２でモード切替キーとしてのＦキーが操作されたと判定された場合には、さらにステップ３０３でＦキーが一定時間以上、押下し続ける操作である長押し操作が行われたか否かが判定される。ステップ３０２でＦキーが操作されていないと判定された場合、及びステップ３０３でＦキーが上記一定時間より短い時間、押下する操作である短押し操作が行われたと判定された場合には、ステップ３１２に移行し、音声モードに設定されたまま、この処理を終了する。
【００２７】
ステップ３０３でＦキーが一定時間以上、押下し続ける操作である長押し操作が行われたと判定された場合には、カメラ２０を携帯端末装置１０における操作部１０４のキー操作により撮影可能な状態である撮影モードに移行する（ステップ３０４）。この時点で被写界からの反射光がディジタルカメラ２００の図示していない撮像部に取り込まれ、この撮像部で被写界光の明るさに対応した画像データに変換され、この被写界の画像データがディジタルカメラインターフェース部２０２を介して制御線３０から出力されるクロックに同期して信号線３２より携帯端末装置１０側に出力される。ＣＰＵ１１２は、携帯端末インターフェース部１１４を介して上記画像データを取り込み、表示部１０６に送出する。
【００２８】
この結果、携帯端末装置１０の表示部１０６にはディジタルカメラ２００から出力された画像データに基づく画像が表示される（ステップ３０５）。次いで、ステップ３０６では、モード切替キーとしてのＦキーが操作されたか否かが判定される。ステップ３０６でFキーが操作されたと判定された場合には、ステップ３０７でＦキーの操作は短押し操作であるか否かが判定される。ステップ３０７でＦキーの操作が短押し操作であると判定された場合には、このＦキーは、シャッターボタンとして機能し、ディジタルカメラ２００により被写界の撮影が行われ（ステップ３０８）、この撮影された静止画像が表示部１０６に表示される（ステップ３０９）。
【００２９】
一方、ステップ３０７でＦキーの操作が長押し操作であると判定された場合には、撮影モードから音声モードに移行し（ステップ３１３）、この処理の実行を終了する。この音声モードにおける状態は、本発明の携帯端末装置１０における所定のキー入力状態に相当する。ここで、所定のキー入力状態とは、発呼操作、電話機能あるいはデータ通信機能の基本設定、メール文章作成、電話番号入力等のキー入力状態をいう。
ステップ３０９で撮影した静止画像が表示部１０６に表示された後、撮影が終了したか否かが判定される（ステップ３１０）。この判定は、例えば、操作部１０４における終了キーを撮影モードに切り替わっている状態下では撮影動作の終了を指定するキーとして割り当て、この終了キーが操作された否かにより判定することができる。
【００３０】
ステップ３１０で撮影が終了したと判定された場合には、音声モードに移行し（ステップ３１１）、この処理の実行を終了する。またステップ３１０で撮影が終了してないと判定された場合には、ステップ３０６に戻り、既述したのと同様の処理を繰り返す。
【００３１】
尚、上述した本実施の形態に係る携帯端末装置を、カメラの撮影可能な状態下において着信があると、着信モードに動作状態が切り替わるようにしてもよい。
また、本実施の形態では通常は電話機能に関連する設定に割り当てられた操作部１０４における特定のキーを携帯端末装置１０にカメラ２０が接続された状態下では、音声モードと撮影モードとのモード切り替えを行うためのモード切替キーとして機能させ、さらに撮影モードに移行した際にはこのキーを、キー操作の仕方に応じて撮影動作に関連する機能キー、例えば、シャッターキーとして機能するようにしたが、このように１つのキーのみに撮影動作に関連する機能を割り当てずに、複数のキーに撮影動作に関連する機能を割り当てるようにしてもよい。
【００３２】
また、撮影動作に関連する機能としては、本実施の形態では、シャッターキーとしてが、これに限らず、ズーム動作を行うためのキー、撮影条件を設定するためのキー等、どれでもよい。
さらに、音声モードから撮影モードへのモード切り替え、あるいは撮影モードから音声モードへの切り替えは、撮影モードに移行する前後で、ほかの操作との関係で区別がつきさえすれば、キー操作は短押し操作、長押し操作のいずれでもよい。
【００３３】
本実施の形態に係る携帯端末装置によれば、携帯端末装置が動作している状態で且つ該携帯端末装置に前記カメラが接続されている状態下において、前記携帯端末装置の操作部における複数のキーのうちの特定のキーを一定時間以上、押下し続ける長押し操作が行われた場合には撮影モードに移行し、この撮影モードでさらに、前記操作部における複数のキーのうちのいずれか１つまたは複数のキーが操作された場合にはキーに割り当てられた前記撮影モードに対応する動作を実行するので、撮影機能専用のキーを設ける必要がなく、撮影時に操作するのに必要なキー数が少なくて済み、かつ撮影可能な状態への切り替え及び撮影操作を行うのに表示部の画面でいちいち確認しながら操作する必要がなくなる。
【００３４】
したがって、撮影機能専用のキーを設ける必要がないので、携帯端末装置をコンパクトに構成することができる。
また、撮影時に操作するのに必要なキー数が少なくて済むので、キー操作の誤りが無く、操作が容易となる。
さらに、撮影可能な状態への切り替え及び撮影操作を行うのに表示部の画面でいちいち確認しながら操作する必要がなくなるので、表示部の画面を見ながら設定状態を確認してキーを操作するという煩雑さが解消される。
【００３５】
また、本実施の形態に係る携帯端末装置によれば、前記撮影モードで前記操作部における複数のキーのうちのいずれかのキーが上記一定時間より短い時間、押下する短押し操作が行われた場合には、撮影モードにおいて前記操作されたキーに割り当てられた前記撮影モードに対応する動作を実行し、前記操作部における複数のキーのうちのいずれかのキーが前記長押し操作された場合には前記携帯端末装置の所定のキー入力状態に移行するようにしたので、通信可能な動作状態（通信モード）と撮影可能な動作状態（撮影モード）との切り替えが容易となり、ユーザが快適に使用することができる。
【００３６】
さらに、本実施の形態に係る携帯端末装置によれば、携帯端末装置が動作している状態で且つ該携帯端末装置に前記カメラが接続されている状態下において、前記携帯端末装置の操作部における複数のキーのうちの特定のキーを一定時間以上、押下し続ける長押し操作が行われた場合には撮影モードに移行し、この撮影モードでさらに、前記特定のキーが操作された場合にはキーに割り当てられた前記撮影モードに対応する動作を実行するので、１つのキーを操作することにより通信モードと撮影モードとの切り替えができ、キー操作の誤りが無くなり、操作が容易となる。
また、１つのキーで撮影可能な状態への切り替え及び撮影操作を行うことができるので、表示部の画面でいちいち確認しながら操作する必要がなくなり、表示部の画面を見ながら設定状態を確認してキーを操作するという煩雑さが解消される。
【００３７】
【発明の効果】
請求項１に記載の発明によれば、携帯端末装置が動作している状態で且つ該携帯端末装置に前記カメラが接続されている状態下において、前記携帯端末装置の操作部における複数のキーのうちの特定のキーを一定時間以上、押下し続ける長押し操作が行われた場合には撮影モードに移行し、この撮影モードでさらに、前記操作部における複数のキーのうちのいずれか１つまたは複数のキーが操作された場合にはキーに割り当てられた前記撮影モードに対応する動作を実行するので、撮影機能専用のキーを設ける必要がなく、撮影時に操作するのに必要なキー数が少なくて済み、かつ撮影可能な状態への切り替え及び撮影操作を行うのに表示部の画面でいちいち確認しながら操作する必要がなくなる。
【００３８】
したがって、撮影機能専用のキーを設ける必要がないので、携帯端末装置をコンパクトに構成することができる。  また、撮影時に操作するのに必要なキー数が少なくて済むので、キー操作の誤りが無く、操作が容易となる。
さらに、撮影可能な状態への切り替え及び撮影操作を行うのに表示部の画面でいちいち確認しながら操作する必要がなくなるので、表示部の画面を見ながら設定状態を確認してキーを操作するという煩雑さが解消される。
【００３９】
また、請求項２に記載の発明によれば、前記撮影モードで前記操作部における複数のキーのうちのいずれかのキーが上記一定時間より短い時間、押下する短押し操作が行われた場合には、撮影モードにおいて前記操作されたキーに割り当てられた前記撮影モードに対応する動作を実行し、前記操作部における複数のキーのうちのいずれかのキーが前記長押し操作された場合には前記携帯端末装置の所定のキー入力状態に移行するように制御するので、通信可能な動作状態（通信モード）と撮影可能な動作状態（撮影モード）との切り替えが容易となり、ユーザが快適に使用することができる。
【００４０】
また、請求項３に記載の発明によれば、携帯端末装置が動作している状態で且つ該携帯端末装置に前記カメラが接続されている状態下において、前記携帯端末装置の操作部における複数のキーのうちの特定のキーを一定時間以上、押下し続ける長押し操作が行われた場合には撮影モードに移行し、この撮影モードでさらに、前記特定のキーが操作された場合にはキーに割り当てられた前記撮影モードに対応する動作を実行するので、１つのキーを操作することにより通信モードと撮影モードとの切り替えができ、キー操作の誤りが無くなり、操作が容易となる。
また、１つのキーで撮影可能な状態への切り替え及び撮影操作を行うことができるので、表示部の画面でいちいち確認しながら操作する必要がなくなり、表示部の画面を見ながら設定状態を確認してキーを操作するという煩雑さが解消される。
【００４１】
また、請求項４に記載の発明によれば、複数のキーを有する操作手段と、携帯端末装置が動作している状態で且つ該携帯端末装置に前記カメラが接続されている状態下において、前記操作手段における複数のキーのうちの特定のキーを一定時間以上、押下し続ける長押し操作が行われた場合には撮影モードに移行し、この撮影モードでさらに、前記操作手段における複数のキーのうちのいずれか１つまたは複数のキーが操作された場合にはキーに割り当てられた前記撮影モードに対応する動作を実行する制御手段とを有するので、撮影機能専用のキーを設ける必要がなく、撮影時に操作するのに必要なキー数が少なくて済み、かつ撮影可能な状態への切り替え及び撮影操作を行うのに表示部の画面でいちいち確認しながら操作する必要がなくなる。
【００４２】
したがって、撮影機能専用のキーを設ける必要がないので、携帯端末装置をコンパクトに構成することができる。
また、撮影時に操作するのに必要なキー数が少なくて済むので、キー操作の誤りが無く、操作が容易となる。
さらに、撮影可能な状態への切り替え及び撮影操作を行うのに表示部の画面でいちいち確認しながら操作する必要がなくなるので、表示部の画面を見ながら設定状態を確認してキーを操作するという煩雑さが解消される。
【００４３】
また、請求項５に記載の発明によれば、前記制御手段は、前記撮影モードに移行し、この撮影モードで前記操作手段における複数のキーのうちのいずれかのキーが上記一定時間より短い時間、押下する短押し操作が行われた場合には、前記操作されたキーに割り当てられた前記撮影モードに対応する動作を実行し、前記操作部における複数のキーのうちのいずれかのキーが前記長押し操作された場合には前記携帯端末装置の所定のキー入力状態に移行するよう制御するので、通信可能な動作状態（通信モード）と撮影可能な動作状態（撮影モード）との切り替えが容易となり、ユーザが快適に使用することができる。
【００４４】
また、請求項６に記載の発明によれば、複数のキーを有する操作手段と、携帯端末装置が動作している状態で且つ該携帯端末装置に前記カメラが接続されている状態下において、前記携帯端末装置の操作部における複数のキーのうちの特定のキーを一定時間以上、押下し続ける長押し操作が行われた場合には撮影モードに移行し、この撮影モードでさらに、前記特定のキーが操作された場合にはキーに割り当てられた前記撮影モードに対応する動作を実行する制御手段とを有するので、１つのキーを操作することにより通信モードと撮影モードとの切り替えができ、キー操作の誤りが無くなり、操作が容易となる。
また、１つのキーで撮影可能な状態への切り替え及び撮影操作を行うことができるので、表示部の画面でいちいち確認しながら操作する必要がなくなり、表示部の画面を見ながら設定状態を確認してキーを操作するという煩雑さが解消される。
【図面の簡単な説明】
【図１】  本発明の実施の形態に係る携帯端末装置の構成を示すブロック図。
【図２】  図１に示した本発明の実施の形態に係る携帯端末装置における操作部のキー配列を示す説明図。
【図３】  図１に示した本発明の実施の形態に係る携帯端末装置の制御動作を示すフローチャート。
【図４】  図１に示した本発明の実施の形態に係る携帯端末装置の制御動作を示すフローチャート。
【符号の説明】
１０  携帯端末装置
１００  ＲＦ送受信部
１０２  信号処理部
１０４  操作部（操作手段）
１０６  表示部
１０８  ＲＯＭ
１１０  外部メモリインターフェース部
１１２  ＣＰＵ（制御手段）
１１４  携帯端末インターフェース部
１１６  ＲＡＭ
２０  カメラ
２００  ディジタルカメラ
２０２  ディジタルカメラインターフェース部
３０、３１  制御線
３２  信号線
【図１】
0003739647.tif 000002
【図２】
0003739647.tif 000003
【図３】
0003739647.tif 000004
【図４】
0003739647.tif 000005